(57)【要約】      （修正有）【課題】低コストで、短時間で組立ができるディスプレイ装置を提供する。【解決手段】ディスプレイ装置及びその組立方法が、支持本体と、第一・第二の支持部材１４とを備えて提供される。支持本体が、複数の脚部１８と、クロスバー２２とを含む。各支持部材１４が、柄部２４と、柄部２４を直立位置に保持するためのばね要素２６とを含む。ディスプレイ装置１０が、支持部材１４の柄部２４と係合するための複数の垂直通路３２を有する波状のディスプレイカード１６をさらに含む。【選択図】  図１
2005122166.tif 000002
【特許請求の範囲】
【請求項１】
クロスバーを有する支持本体と、上記クロスバーに取り付けられた少なくとも一つの支持部材と、ディスプレイカードとを備え、
上記少なくとも一つの支持部材が、上記クロスバーに近接させて配置されたばね要素と、該ばね要素から上方に延出させて設けられた柄部とを含み、
上記ディスプレイカードが、互いに対向させて設けられた一対のフェースと、上記ディスプレイカードを直立位置に支持すべく、上記フェース間に設けられ、上記柄部を挿通するための少なくとも一つの内部通路とを有することを特徴とするディスプレイ装置。
【請求項２】
上記少なくとも一つの支持部材を上記クロスバーに対して取り付けるための固定アセンブリをさらに備える請求項１記載のディスプレイ装置。
【請求項３】
上記固定アセンブリが、上記ばね要素の端部に取り付けられたばね受座と、該ばね受座を固定するためのねじ部品とを備える請求項２記載のディスプレイ装置。
【請求項４】
上記固定アセンブリが、上記少なくとも一つの支持部材の上記ばね要素から下方に延出され、上記クロスバーに取り付けられたピン部を備える請求項２記載のディスプレイ装置。
【請求項５】
上記固定アセンブリが、上記ピン部と係合するための固定座金をさらに備える請求項４記載のディスプレイ装置。
【請求項６】
上記ピン部が、上記支持部材を上記クロスバーに対して固定すべく、ねじナットを取り付けるためのねじ部を含む請求項４記載のディスプレイ装置。
【請求項７】
上記ディスプレイカードが、上記柄部に挿通され、上記少なくとも一つの支持部材によって支持される波状のディスプレイカードを含む請求項１〜６いずれかに記載のディスプレイ装置。
【請求項８】
上記ばね要素が、コイルばねを含む請求項１〜７いずれかに記載のディスプレイ装置。
【請求項９】
上記柄部が、延出させて設けられた円筒状のロッドを含む請求項１〜８いずれかに記載のディスプレイ装置。
【請求項１０】
上記柄部が、上記柄部と上記ディスプレイカードとの間の上記内部通路に対して締まりばめを提供するためのオフセット部を有する請求項１〜９いずれかに記載のディスプレイ装置。
【請求項１１】
上記少なくとも一つの支持部材が、一体型の支持部材を含む請求項１〜１０いずれかに記載のディスプレイ装置。
【請求項１２】
複数の脚部及び該複数の脚部によって水平に支持されたクロスバーを有する支持本体と、内部に複数の垂直通路を有するディスプレイカードと、上記クロスバーに取り付けられた第一の支持部材と、該第一の支持部材を上記クロスバーに対して固定するための第一の固定アセンブリと、上記クロスバーに取り付けられた第二の支持部材と、該第二の支持部材を上記クロスバーに対して固定するための第二の固定アセンブリとを備え、
上記第一の支持部材が、第一の中央縦軸を定義する第一のばね要素と、上記第一の中央縦軸に沿って設けられ、上記第一のばね要素から上方に延出される第一の柄部とを含み、  上記第二の支持部材が、第二の中央縦軸を定義する第二のばね要素と、上記第二の中央縦軸に沿って設けられ、上記第二のばね要素から上方に延出される第二の柄部とを含むことを特徴とするディスプレイ装置。
【請求項１３】
上記第一・第二の柄部が、延出させて設けられた円筒状のロッドをそれぞれ含む請求項１２記載のディスプレイ装置。
【請求項１４】
上記第一・第二のばね要素が、コイルばねをそれぞれ含む請求項１２又は１３記載のディスプレイ装置。
【請求項１５】
上記第一・第二の支持部材が、それぞれ一体型の支持部材を含む請求項１２〜１４いずれかに記載のディスプレイ装置。
【請求項１６】
上記第一・第二の固定アセンブリが、上記ばね要素の端部に取り付けられたばね座金と、上記クロスバーに挿通されて延出され、上記ばね座金を固定するためのねじ部品とをそれぞれ含む請求項１２〜１５いずれかに記載のディスプレイ装置。
【請求項１７】
上記第一の支持部材が、上記第一のばね要素から上記クロスバー内へと下方に延出された第一のピン部をさらに含み、上記第二の支持部材が、上記第二のばね要素から上記クロスバー内へと下方に延出された第二のピン部をさらに含む請求項１２〜１６いずれかに記載のディスプレイ装置。
【請求項１８】
上記第一・第二の固定アセンブリが、上記第一・第二のピン部と係合するための固定座金をそれぞれ含む請求項１７記載のディスプレイ装置。
【請求項１９】
上記第一・第二の固定アセンブリが、上記第一・第二のピン部の各々に取り付けられるねじナットをそれぞれ含む請求項１７記載のディスプレイ装置。
【請求項２０】
上記第一・第二の柄部のうち少なくとも一つが、上記柄部と上記ディスプレイカードとの間の上記垂直通路に対して締まりばめを提供するためのオフセット部を有する請求項１２〜１９いずれかに記載のディスプレイ装置。
【請求項２１】
第一の支持部材をクロスバーに取り付けると共に、第二の支持部材を上記クロスバーに取り付け、上記第一の支持部材の第一の柄部をディスプレイカードの第一の通路に対して整列させると共に、上記第二の支持部材の第二の柄部を上記ディスプレイカードの第二の通路に対して整列させ、上記ディスプレイカードを上記第一・第二の柄部に沿ってスライドさせることによって、上記ディスプレイカードと上記第一・第二の柄部とを摩擦により係合することを特徴とするディスプレイ装置の組立方法。
【発明の詳細な説明】
【技術分野】
【０００１】
本発明は、ポータブルディスプレイ装置に係り、特に、耐風ポータブルディスプレイ装置に関する。
【背景技術】
【０００２】
ポータブルディスプレイ装置は、広告業において広く普及した。これらポータブルディスプレイ装置は、しばしば屋外で使用されるため、風力にさらされることがある。剛体のディスプレイ装置は風力により倒れる傾向があるため、ディスプレイ装置を直立に維持するためのばね機構を備えた種々のディスプレイ装置が開発されている。従来のばねにより付勢されたディスプレイ装置は、支持本体と、ディスプレイカードを入れるためのフレームとを含んでいる。ばね機構は、フレームと支持本体との間に配置される。この構造により、（ディスプレイ）フレームが支持本体に対して独立に動くことが可能となる。
【０００３】
【特許文献１】国際公開第９８／４３２３０号パンフレット
【発明の開示】
【発明が解決しようとする課題】
【０００４】
従来の構造に関する問題は、フレーム、ばね機構、支持本体、及び、これら部品を相互に連結するための固定具の組立が、比較的高コストであることである。さらに、従来のばねにより付勢されたディスプレイ装置の組立は、過度に時間浪費となりえる。
【課題を解決するための手段】
【０００５】
ポータブルディスプレイ装置が、支持ベース、延出させて設けられた細長い第一・第二の支持部材、及び、ディスプレイカードを含んで提供される。支持ベースは、第一・第二の支持部材をそれぞれ垂直に支持する。これら延出させて設けられた細長い第一・第二の支持部材上には、内部に垂直通路を有するディスプレイカードを挿入することが可能である。
【０００６】
本発明の適用分野は、以下の詳細な記述及び添付図面から明白になるだろう。また、本発明の好適な実施形態を示す詳細な記述及び特定の実施例が、説明のみの目的のためのものであって、本発明の範囲を制限するものではないことが理解されるだろう。
【発明の効果】
【０００７】
本発明によれば、比較的低コストで、且つ、比較的短時間でポータブルディスプレイ装置を組立てることができるという優れた効果を奏する。
【発明を実施するための最良の形態】
【０００８】
以下の好適な実施形態の記述は、単に例示であり、本発明、その適用、或いは、その使用の範囲を制限するものではない。
【０００９】
図１から図３に示すように、好適な実施形態に係るディスプレイ装置（耐風ポータブルディスプレイ装置、耐風標識）１０が、支持ベース１２、一対の支持部材１４及びディスプレイカード１６を含んで提供される。支持ベース１２は、クロスバー２２の長手方向の両端部にそれぞれ設けられた連結部２０にて相互に連結された二組の脚部１８を含んでおり、それによって、クロスバー２２を水平に支持する。支持部材１４は、ばね要素２６及び柄部（支え部）２４を含んでいる。好ましくは、ばね要素２６及び柄部２４が、一体型（ワンピース）の支持部材１４として形成される。しかしながら、当業者は、支持部材１４を相互に連結された分割部品から形成することができることを認識するだろう。
【００１０】
ディスプレイ装置１０は、支持ベース１２から延出させて設けられた一対の支持部材１４を有している。しかしながら、当業者は、支持部材１４の数量及び位置を、ディスプレイ装置の使用方法等に応じて変更することができることを認識するだろう。
【００１１】
ばね要素２６は、クロスバー２２の上面に取り付けられ、中央縦軸Ａ−Ａを定義する。柄部２４は、中央縦軸Ａ−Ａに沿って、上方へ延出させて設けられた円筒状（或いは円柱状）の細長いロッドを含んでいる。柄部２４は、ばね要素２６よりもわずかに上方に形成されたオフセット部４６を有している。オフセット部４６は、後述するように、ディスプレイカード１６に対してわずかな締まりばめを提供するように機能する。
【００１２】
好ましくは、オフセット部４６が、柄部２４において結び目形状（キンク形状）、或いは、屈曲形状（ベンド形状）に形成される。この実施形態においては、オフセット部４６が、屈曲形状に形成される。しかしながら、当業者は、わずかな締まりばめを提供すべく、オフセット部４６を、スエージ加工、或いは、断面形状を変更することができる他の手段によって柄部２４に形成しても良く、部分的に材料を柄部２４に追加する（柄部２４の外径を部分的に大きくする）ことによって形成しても良いことを認識するだろう。
【００１３】
ディスプレイカード１６が、互いに対向させて設けられた一対のフェース２８を有する内部ディスプレイカードを含んでいる。これらフェース２８は、波状のウェブ３０によって相互に連結される。フェース２８及びウェブ３０の間には、複数の垂直通路３２が定義される。
【００１４】
ディスプレイカード１６としては、カナダ（ブリティッシュコロンビア、バンクーバー）のグレート・パシフィック・エンタープライジーズ社（Ｇｒｅａｔ  Ｐａｃｉｆｉｃ  Ｅｎｔｅｒｐｒｉｓｅｓ  Ｉｎｃ．）製のコロプラスト（Ｃｏｒｏｐｌａｓｔ（登録商標））のような、厚さ約８ミリメートルのプラスチックシート材を用いることができる。なお、ディスプレイカード１６を、上記のプラスチックシート材に代えて、一対のフェース及び波状のウェブを有する適切な耐候性の段ボール紙（厚紙）から構成することもできる。
【００１５】
図３に示すように、垂直通路３２は、高さよりも大きな幅を有する台形状（或いは平行四辺形状）に形成される。柄部２４の外径は、垂直通路３２の高さと略等しい。オフセット部４６は、ウェブ３０に対してわずかに干渉するような形状に形成され、それによって、支持部材１４とディスプレイカード１６との間に、摩擦による締まりばめが十分に提供される。
【００１６】
垂直通路３２の入口（ディスプレイカード１６における支持部材１４の挿入口）は、ディスプレイカード１６の下端部３４にて提供される。その場合、各支持部材１４の柄部２４がディスプレイカード１６の垂直通路３２に挿入され、それによって、柄部２４はディスプレイカード１６を直立位置に支持する。この構造では、ディスプレイカード１６がフレームにより支持される必要はなく、支持部材１４によって直接支持される。
【００１７】
図４に示すように、第一実施形態に係るクロスバー２２及び支持部材１４が提供される。クロスバー２２は、断面略Ｕ字状に形成される。このクロスバー２２の上面には、孔３６が設けられる。ばね要素２６がコイルばねである。
【００１８】
固定アセンブリが、ばね受座４０及びねじ部品４２を含んでいる。ばね受座４０が、ばね要素２６の内面に取り付けられる金属プラグである。このばね受座（金属プラグ）４０の底部には、ねじ孔４４が設けられる。
【００１９】
ばね受座４０は、コイルバネ２６に螺合される。より詳しくは、ばね受座４０のベース５０から上方に延出された環状のリング４８が、その外周面に設けられ、ばね要素２６のヘリカルコイルにより支持部材１４をばね受座４０に対して固定するためのおねじ部を有している。ねじ部品４２が、クロスバー２２の孔３６を通して、ばね受座４０のベース５０に設けられたねじ孔４４に螺合され、それによって、支持部材１４がクロスバー２２に対して固定される。
【００２０】
図５に示すように、第二実施形態に係るクロスバー１２２及び支持部材１１４が提供される。クロスバー１２２は、断面略Ｕ字状に形成される。このクロスバー１２２の上面には、孔１３６が設けられる。支持部材１１４が、図４で示した支持部材１４と同様にコイルバネ１２６の上部から延出させて設けられた柄部１２４を含むと共に、コイルバネ１２６の下部から延出させて設けられたピン部１３０を含んでいる。ピン部１３０は、柄部１２４に比べて極めて短く形成された円柱状のロッドを含んでいる。このロッドは、クロスバー１２２の上面に設けられた孔１３６を通して延出される。
【００２１】
固定アセンブリが、ばね受座１４０及び固定座金（ワッシャー）１４２を含んでいる。ばね受座１４０が、金属からなるカップ状の部材を含んでいる。このばね受座１４０の底面には、孔１４４が設けられる。ばね受座１４０は、クロスバー１２２の上面と係合するための面を提供すべく、仮付溶接（タック溶接）１３８或いは他の適した固定手段により、コイルバネ１２６に対して固定される。固定座金１４２が、ピン部１３０と係合されることによって、支持部材１１４がクロスバー１２２に対して固定される。
【００２２】
図６に示すように、第三実施形態に係るクロスバー２２２及び支持部材２１４が提供される。クロスバー２２２は、断面略Ｕ字状に形成される。クロスバー２２２の上面には、孔２３６が設けられる。支持部材２１４が、図４で示した支持部材１４と同様にコイルばね２２６の上部から延出させて設けられた柄部２２４を含むと共に、コイルばね２２６の下部から延出させて設けられたねじピン部２３０を含んでいる。このねじピン部２３０は、柄部２２４に比べて極めて短く形成される。ねじピン部２３０は、クロスバー２２２の孔２３６を通して延出される。
【００２３】
固定アセンブリが、ばね受座２４０及びねじナット（六角ナット）２４２を含んでいる。ばね受座２４０が、金属からなるカップ状の部材を有している。そのばね受座２４０の底面には、孔２４４が設けられる。ばね受座２４０は、クロスバー２２２の上面と係合するための面を提供すべく、仮付溶接（タック溶接）２３８或いは他の適した固定手段により、コイルバネ２２６に対して固定される。ねじナット２４２が、ねじピン部２３０に螺合され、それによって、支持部材２１４がクロスバー２２２に対して固定される。
【００２４】
さらに、図１から図３に示すように、組立の際に、一対の支持部材１４が、クロスバー２２の長手方向の両端部の上面に取り付けられる。付属物（アタッチメント）が、上述の三つの実施形態のいずれかに従って取り付けられる。その後、波状のディスプレイカード１６の内部に設けられた二つの垂直通路３２が支持部材１４より上方に整列される。その状態で、整列された二つの垂直通路３２に沿って、支持部材１４をスライドさせる。垂直通路３２が、摩擦により柄部２４に対して係合され、それによって、支持部材１４上にディスプレイカード１６を固定する。
【００２５】
上述の実施形態の記述は、単に例示である。従って、本発明の要点から外れない変化は、本発明の範囲内である。それら変化は、本発明の精神及び範囲からの逸脱とはみなされない。
【図面の簡単な説明】
【００２６】
【図１】本発明の一実施形態に係るディスプレイ装置の分解斜視図である。
【図２】本発明の一実施形態に係るディスプレイ装置の正面図である。
【図３】図２の３−３線矢視断面図である。
【図４】第一実施形態に係るクロスバー及び支持部材の詳細を示す要部拡大図である。
【図５】第二実施形態に係るクロスバー及び支持部材の詳細を示す要部拡大図である。
【図６】第三実施形態に係るクロスバー及び支持部材の詳細を示す要部拡大図である。
【符号の説明】
【００２７】
１０  ディスプレイ装置
１４、１１４、２１４  支持部材
１６  ディスプレイカード
１８  脚部
２２、１２２、２２２  クロスバー
２４、１２４、２２４  柄部
２６、１２６、２２６  ばね要素（コイルばね）
２８  フェース
３０  ウェブ
３２  垂直通路（内部通路、通路）
４０、１４０、２４０  ばね受座（固定アセンブリ）
４２  ねじ部品（固定アセンブリ）
１３０  ピン部（固定アセンブリ）
２３０  ねじピン部（固定アセンブリ）
４６、１４６、２４６  オフセット部
１４２  固定座金（固定アセンブリ）
２４２  ねじナット（固定アセンブリ）
Ａ  中央縦軸
【図１】
2005122166.tif 000003
【図２】
2005122166.tif 000004
【図３】
2005122166.tif 000005
【図４】
2005122166.tif 000006
【図５】
2005122166.tif 000007
【図６】
2005122166.tif 000008